(57)【要約】【課題】極めて簡易でシンプルな構成でありながら、演奏者個々の親指にピッタリとフィットし、あたかも指の一部となりえる弦楽器用サムピックを提供する。【解決手段】弦楽器演奏時に親指に装着するサムピック１であって、前記サムピック１はピック本体部２とベルト部３とから構成されており、前記ピック本体部２は、前記ピック本体部２の弦１２との当接部側部４の近傍に形成された第１の細長孔５と前記ピック本体部２の前記弦当接部側４の反対側部６の近傍に形成された第２の細長孔７とを有しており、前記ベルト部３は、その一方の第１の端部４１には、前記第１の細長孔５に挿通されて前記第１の細長孔５に嵌合係止される嵌合係止端部９を有しており、その他方の第２の端部４２及び少なくとも前記第２の端部４２近傍は、前記第２の細長孔７に挿通され、少なくとも前記第２の端部４２近傍部の表面には滑り止め機構１０が設けられている弦楽器用サムピック１【選択図】図１
2007003665.tif 000002
【特許請求の範囲】
【請求項１】
弦楽器演奏時に親指に装着するサムピックであって、前記サムピックはピック本体部とベルト部とから構成されており、前記ピック本体部は、前記ピック本体部の弦当接部側部の近傍に形成された第１の細長孔と前記ピック本体部の前記弦当接部側の反対側部の近傍に形成された第２の細長孔とを有しており、前記ベルト部は、その一方の第１の端部には、前記第１の細長孔に挿通されて前記第１の細長孔に嵌合係止される嵌合係止端部を有しており、その他方の第２の端部及び少なくとも前記第２の端部近傍は、前記第２の細長孔に挿通され、少なくとも前記第２の端部近傍部の表面には滑り止め機構が設けられており、更に前記第１と第２の細長孔の間隔が当該弦楽器の演奏者の親指の幅よりも狭くなる様に設定されていることを特徴とする弦楽器用サムピック。
【請求項２】
弦楽器演奏時に親指に装着するサムピックであって、前記サムピックはピック本体部とベルト部とから構成されており、前記ピック本体部の弦当接部側に形成された第１の細長孔と前記ピック本体部の弦当接部側の反対側に第２の細長孔および第３の細長孔とが設けられており、前記ベルト部は、前記第１の細長孔に挿通されその一端部には前記第１の細長孔に嵌合係止するための嵌合係止端部からなる第１の端部を有し、前記ベルト部の他方の端部である第２の端部は前記第２の細長孔の上側から下向きに挿通され、次いで前記第３の細長孔の下側から上向きに挿通される締付部を有することを特徴とする弦楽器用サムピック。
【請求項３】
前記ベルト部に於ける前記第１の端部の少なくとも一部は、前記ピック本体部の前記第１の細長孔に接合固定されている事を特徴とする請求項１又は２に記載の弦楽器用サムピック。
【請求項４】
前記ベルト部の表面には滑り止め機構が形成されていることを特徴とする請求項２に記載の弦楽器用サムピック。
【請求項５】
前記ベルト部の前記第１の端部に接続する所定の長さ部分の幅は、前記ベルト部の前記第２の端部に接続する所定の長さ部分の幅よりも大きく構成されている事を特徴とする請求項１乃至４の何れかに記載の弦楽器用サムピック。
【請求項６】
前記ベルト部の前記第１の端部である前記嵌合係止端部は、前記ベルト部の中心軸に対して所定の角度を有して斜めに形成されている事を特徴とする請求項１乃至５の何れかに記載の弦楽器用サムピック。
【請求項７】
前記滑り止め機構は、複数本の畦状線体若しくは溝状線体或いは適宜の凹凸状線体が互いに平行に隣接して配列されている事を特徴とする請求項１若しくは請求項４乃至６の何れかに記載の弦楽器用サムピック。
【請求項８】
前記滑り止め機構を構成する複数本の畦状線体若しくは溝状線体或いは適宜の凹凸状線体は、前記ベルト部の中心軸に対して所定の角度を有して斜めに形成されている事を特徴とする請求項７に記載の弦楽器用サムピック。
【請求項９】
前記滑り止め機構を構成する複数本の畦状線体若しくは溝状線体或いは適宜の凹凸状線体の前記ベルト部の中心軸に対する傾斜方向は、前記嵌合係止端部の前記ベルト部の中心軸に対する傾斜方向とは異なる方向である事を特徴とする請求項８に記載の弦楽器用サムピック。
【請求項１０】
前記ベルト部の指と接触する面に緩衝摩擦層が設けられている事を特徴とする請求項１乃至９の何れかに記載の弦楽器用サムピック。
【請求項１１】
前記第１の細長孔の長さは、前記第２の細長孔若しくは前記第３の細長孔の長さよりも長く設定されている事を特徴とする請求項１乃至１０の何れかに記載の弦楽器用サムピック。
【請求項１２】
前記第２の細長孔又は前記第３の細長孔の少なくとも一方の孔部内に前記滑り止め機構を構成する複数本の畦状線体若しくは溝状線体或いは適宜の凹凸状線体と係合する突起部が設けられている事を特徴とする請求項１又は請求項４乃至１１の何れかに記載の弦楽器用サムピック。
【請求項１３】
前記弦楽器は、ギター、バンジョー、マンドリンおよび琴から選択された一つの弦楽器である事を特徴とする請求項１乃至１２の何れかに記載の弦楽器用サムピック。
【発明の詳細な説明】
【技術分野】
【０００１】
本発明は、ギター、バンジョー、マンドリンおよび琴等の弦楽器の演奏時に親指に装着して使用する弦楽器用サムピックに関し、特に演奏者の指のサイズにピッタリと適合する自由調節構成を有し、また演奏性を著しく向上させた弦楽器用サムピックに関する。
【背景技術】
【０００２】
一般的に弦楽器、例えばギターを演奏する場合には、指で弦を弾くフィンガーピッキング奏法とピックと呼ばれるプラスティック片を使用したピック奏法とに大別される。
【０００３】
前記フィンガーピッキング奏法は、クラッシックギターやフラメンコギターを演奏する場合やウェスタンギターでカントリーミュージック、フォークギターでアルペジオ奏法を行う場合等に多用される。
【０００４】
一方ピック奏法は、エレキギターやフォーク、ウェスタンギターまたはバンジョーやマンドリン等でメロディやリードアドリブを演奏したり複数の弦を一度に弾くストローク奏法を行う場合に多用される。
【０００５】
前記フィンガーピッキング奏法を行う場合には、指で弾くと音色が鈍くなることもあり澄んだ音色を出すために指の爪を長く伸ばしてこの爪で弾くことが一般的に行われている。
【０００６】
しかしながら、人間の手の構造上、親指を除く他の指の爪は弦に対してほぼ垂直に当接させることができるものであるが、親指の爪だけは弦と平行に位置するために爪を伸ばしてもなかなか良好に弦に当接するようにはならないものであった。
【０００７】
そのような事情の下に、図７で示すような、親指でも澄んだ音色を創出するためにサムピックと呼ばれる親指用のピックが考案された。
このサムピック２１は、亀甲やプラスティックまたは金属で形成されており、親指２２の先端付近に巻かれるように指巻部２３が形成された構成となっている。
【０００８】
このように構成されたサムピック２１は、先端の弦当接部分２４は弦２５に対してほぼ垂直に位置するようになるために親指の爪の代用として良好に使用され得るものとなっている。
【０００９】
しかしながら、このような従来のサムピック２１は、指巻部２３の形状が予め成形により決まってしまっているために個々の演奏者の千差万別な指にピッタリとフィットさせることは難しいという欠点を持っていた。
【００１０】
特にギターのフィンガーピッキング奏法は、音楽というものを表現するために極めてデリケートな感触を要求されるために、指にピッタリとフィットする、換言すると指の一部になりえるサムピックは長年希求されていたものであった。
【００１１】
このような要求に応えるために近年では、例えば、特開２００４−３５４８３号公報（〔特許文献１〕）に示す様な構成を有する弦楽器用サムピックが提案されている。
【００１２】
即ち、上記特許文献１に示されているサムピックは、図８に示す構成を有す得るサムピック３１であって、上記サムピック３１は、プラスティックで形成されたピック本体３２の弦当接部側３３に係止爪部３５およびその反対側３４に係止爪部３６をそれぞれ設けると共に、この係止爪部３５と係合する係合穴部３９と前記係止爪部３６に係合する長さ調節細長孔３７、３７’、３７”・・・を複数個有する柔軟なベルト３８を使用して、前記係止爪部３５と前記係合穴部３９、前記係止爪部３６と前記長さ調節細長孔３７、３７’、３７”・・・の一つとを相互に係止し、演奏者各々の指の太さに応じてベルト３８の長さを調節できるように構成されたものである。
【００１３】
この構成により、伝統的な固定式サムピック２１の欠点は解消されたものであるが、そのベルト３８の長さの調節は複数個設けられた長さ調節細長孔３７、３７’、３７”・・・の一つを前記係止爪部３６に引っ掛けることによる調節方式のため、段階式の調節しかできず、依然として極めてデリケートな太さ調節には今一歩不満な点を有するものであった。
【００１４】
また、係止爪部３５、３６にベルト３８の前記係合穴部３９及び前記細長孔３７、３７’、３７”・・・の一つをそれぞれ引っ掛ける構成上、製造工程および成形型が複雑になり、生産性および製造コストに不利益を有するものであった。
【００１５】
さらに、係止爪部３５は、ピック本体３２を切り欠いて形成している構成となっているため、激しく弾いた場合における強度にも不安を有するものであった。
上記した従来のサムピックについての問題点は主にギター用のサムピックについて説明したが、ギター以外の弦楽器用のサムピック、例えば、バンジョー、マンドリンおよび琴等のサムピックに関しても同じような問題点があることは言うまでもない。
【００１６】
【特許文献１】特開２００４−３５４８３号公報
【発明の開示】
【発明が解決しようとする課題】
【００１７】
従って、本発明の目的は、前述した問題点を全て解消し、極めて簡易でシンプルな構成でありながら、演奏者個々の親指にピッタリとフィットし、あたかも指の一部となりえる弦楽器用サムピックを提供することである。
【課題を解決するための手段】
【００１８】
本発明は、上記目的を達成するために、以下に示す様な基本的な技術構成を採用するものである。
即ち、本発明の弦楽器用サムピックの第１の態様としては、弦楽器演奏時に親指に装着するサムピックであって、前記サムピックはピック本体部とベルト部とから構成されており、前記ピック本体部は、前記ピック本体部の弦当接部側部の近傍に形成された第１の細長孔と前記ピック本体部の前記弦当接部側の反対側部の近傍に形成された第２の細長孔とを有しており、前記ベルト部は、その一方の第１の端部には、前記第１の細長孔に挿通されて前記第１の細長孔に嵌合係止される嵌合係止端部を有しており、その他方の第２の端部及び少なくとも前記第２の端部近傍は、前記第２の細長孔に挿通され、少なくとも前記第２の端部近傍部の表面には滑り止め機構が設けられており、更に前記第１と第２の細長孔の間隔が当該弦楽器の演奏者の親指の幅よりも狭くなる様に設定されている弦楽器用サムピックであり、又、本発明の第２の態様としては、弦楽器演奏時に親指に装着するサムピックであって、前記サムピックはピック本体部とベルト部とから構成されており、前記ピック本体部の弦当接部側に形成された第１の細長孔と前記ピック本体部の弦当接部側の反対側に第２の細長孔および第３の細長孔とが設けられており、前記ベルト部は、前記ベルト部は、前記第１の細長孔に挿通され、その一端部には前記第１の細長孔に嵌合係止するための嵌合係止端部からなる第１の端部を有し、前記ベルト部の他方の端部である第２の端部は前記第２の細長孔の上側から下向きに挿通され、次いで前記第３の細長孔の下側から上向きに挿通される締付部を有することを特徴とする弦楽器用サムピックである。
【発明の効果】
【００１９】
以上の説明で明らかな通り、本発明に於ける弦楽器用サムピックによれば、極めて簡易でシンプルな構成でありながら、親指に対して実質的に無段階にベルトの締め付け張力を調節できるために演奏者個々の親指にピッタリとフィットし、あたかも指の一部となりえる弦楽器用サムピックを得ることが可能となる。
【００２０】
然も、本発明に於いては、前記した様に、前記第１の細長孔５と前記第２の細長孔６との間の間隔を前記した弦楽器の演奏者の親指の幅よりも若干小さくする様に設定したものであるので、演奏中は、前記演奏者の親指からの外方に向けた圧力が常時前記ベルト部３に印加されるので、前記ベルト部３が前記第２の細長孔７の内面との接触摩擦を増大させる結果、前記ベルト部３による前記演奏者の親指に対する締め付け力を高める事が可能となる。
【発明を実施するための最良の形態】
【００２１】
以下に、本発明にかかる弦楽器用サムピックの具体例の構成を図面を参照しながら詳細に説明する。
即ち、図１乃至図３は、本発明に於ける弦楽器用サムピック１の一具体例の構成を示す図であって、図中、弦楽器演奏時に親指に装着するサムピック１であって、前記サムピック１はピック本体部２とベルト部３とから構成されており、前記ピック本体部２は、前記ピック本体部２の弦１２との当接部側部４の近傍に形成された第１の細長孔５と前記ピック本体部２の前記弦当接部側４の反対側部６の近傍に形成された第２の細長孔７とを有しており、前記ベルト部３は、その一方の第１の端部４１には、前記第１の細長孔５に挿通されて前記第１の細長孔５に嵌合係止される嵌合係止端部９を有しており、その他方の第２の端部４２及び少なくとも前記第２の端部４２近傍は、前記第２の細長孔７に挿通され、少なくとも前記第２の端部４２近傍部の表面には滑り止め機構１０が設けられており、更に前記第１と第２の細長孔５、７との間の間隔Ｈが当該弦楽器の演奏者の親指の幅よりも若干狭くなる様に設定されている弦楽器用サムピック１が示されている。
【００２２】
又、本発明に於ける弦楽器用サムピックの他の具体例としては、弦楽器演奏時に親指に装着するサムピック１であって、前記サムピック１はピック本体部２とベルト部３とから構成されており、前記ピック本体部２の弦１２との当接部側４に形成された第１の細長孔５と前記ピック本体部２の弦当接部側４の反対側６に第２の細長孔７および第３の細長孔８とが設けられており、前記ベルト部３は、前記ピック本体部２の下側から前記第１の細長孔５に挿通され、その一端部４１には前記第１の細長孔５に嵌合係止するための嵌合係止端部９からなる第１の端部４１を有し、前記ベルト部３の他方の端部である第２の端部４２は前記第２の細長孔７の上側から下向きに挿通され、次いで前記第３の細長孔８の下側から上向きに挿通される締付部４４を構成している弦楽器用サムピック１である。
【００２３】
本発明に於ける上記弦楽器用サムピック１のピック本体部２は、図２に示す様に従来から一般的に使用されている適宜の材料から構成された適宜の平面形状を有する平板状部材で構成されており、前記ピック本体部２には、その弦１２と接触する部分である弦当接部側部４の近傍に適宜の幅と長さを有する第１の細長孔５が形成されており、一方、前記ピック本体部２の前記弦当接部側４の反対側の端部６の近傍には、適宜の幅と長さを有する第２の細長孔７が設けられており、更に好ましくは、前記第２の細長孔７と前記端部６との間に、適宜の幅と長さを有する第３の細長孔８が設けられているものである。
【００２４】
本発明に於ける前記第１の細長孔５、第２の細長孔７、及び第３の細長孔８は好ましくは相互に平行となるように配置されている事が望ましいが、必須ではない。
本発明に於いては、上記した様に、本発明に於いては、前記した様に、前記第１の細長孔５と前記第２の細長孔７との間の間隔Ｈを弦楽器の演奏者の親指の幅よりも若干短い長さとなる様に設定する事が望ましい。
【００２５】
前記第１の細長孔５と前記第２の細長孔７との間の間隔Ｈは、例えば前記弦楽器を演奏する少年から成年の演奏家の親指の幅について全国平均値或いは全世界平均値を求め、前記平均値から必要に応じて２乃至５ｍｍの長さ分を減算して設定する事も可能である。
【００２６】
この様に前記ベルト部３を係止させる前記第１の細長孔５、第２の細長孔７の間隔を特定の値に設定することによって、演奏中は、前記演奏者の親指から外方に向けた膨出圧力が常時前記ベルト部３に内側から外側に向けて印加されるので、前記ベルト部３が前記第２の細長孔７の内面と強く接触するので、両者間の接触摩擦を増大その結果、前記ベルト部３による前記演奏者の親指に対する締め付け力を高める事が可能となる
【００２７】
又、本発明に於ける前記第１の細長孔５、第２の細長孔７、及び第３の細長孔８のそれぞれの幅Ｓ１、Ｓ２、或いはＳ３は後述するベルト部３の厚みにより決定されるものであり、前記ベルト部３の厚みより若干幅広くなるように設定される事が望ましい。
【００２８】
一方、本発明に於ける前記第１の細長孔５、第２の細長孔７、及び第３の細長孔８のそれぞれの長さＬ１、Ｌ２、或いはＬ３は、後述する様に前記ベルト部の幅Ｗに依存して設定されるものであり、図３に示す様なベルト部３を使用する場合には、前記第１の細長孔５の長さは、前記第２の細長孔７若しくは前記第３の細長孔８の長さよりも長く設定されている事が好ましい。
【００２９】
又、本発明に於ける前記ピック本体部２の裏面であって、前記第２の細長孔と第３の細長孔８との間に相当する領域部に図６に示す様に、凸状膨出部６０を設けることも望ましく、更に望ましくは、前記凸状膨出部６０の長手方向は前記第２の細長孔７と第３の細長孔８に対して平行に設けることも望ましい。
【００３０】
前記膨出部６０は、図示の様に、下向きに湾曲状或いは球状若しくは多角形状に突出されているものであれば如何なる形状で有っても良い。
前記膨出部６０は、本発明に於いて、前記ベルト部３の第２の端部４２が、前記第２の細長孔７を上側から下向きに挿通され、次いで前記第３の細長孔８を下側から上向きに挿通される際に、前記第２の細長孔７と第３の細長孔８との間にある前記ベルト部３の一部が前記膨出部６０の表面と強く接触するので、前記ベルト部３の前記締付部４４を安定化させ、それによって前記ベルト部３の締め付け効果を一層向上させる機能を発揮する。
【００３１】
本発明に於ける前記ベルト部３は、後述する様に図３に例示される様な形状、構造等を有している。
そして、前記ベルト部３に於ける第１の長さ部分であるベルト本体部４３と第２の長さ部分である締付部４４とから構成されており、例えば前記ベルト本体部４３の幅と厚みは、前記締付部４４の幅よりも広く且つ前記締付部４４の厚みよりも厚く設定されている事が望ましい。
【００３２】
次に、本発明に於いて使用される前記ベルト部３の具体例の構成を更に詳細に説明するならば、図３に示す様に、本発明で使用される前記ベルト部３は、適宜の柔軟性を有する材料、例えば適宜の合成樹脂から形成された薄厚の平板或いはフィルムから構成された所定の幅と長さを有する帯状体板体であって、その一方の端部である第１の端部４１には、前記第１の細長孔５に挿通されて前記第１の細長孔５に嵌合係止される嵌合係止端部９を有している。
【００３３】
即ち、本発明に於ける前記ベルト部３は、前記ピック本体部２の前記第１の細長孔５に前記ベルト部３の他方の端部である第２の端部４２から挿入されて、最終的に前記嵌合係止端部９が前記第１の細長孔５に嵌合係止されて固定されるものである。
【００３４】
本発明に於いて、前記ベルト部３の前記嵌合係止端部９は、図５（Ｂ）に示す様に、前記ベルト部３の厚みよりも若干厚い厚みを有していて、前記ベルト部３を前記第１の細長孔５に挿通させた場合に、前記ベルト部３の前記嵌合係止端部９が前記第１の細長孔５内に嵌合して固定される。
【００３５】
本発明に於いては、前記嵌合係止端部９がベルト部３の第１の長さ部分と共に、前記第１の細長孔５から抜け出さない様に、脱落防止機能を有するものである事が望ましい。
【００３６】
又、他の具体例としては、図５（Ａ）に示す様に、前記嵌合係止端部９と前記第１の細長孔５とは挿入する際は容易に挿入出来るが、その係合を解除するにはかなりの力を必要とする様に不可逆的に挿通可能な構成を有していることが好ましい。
【００３７】
更に、前記嵌合係止端部９は、前記嵌合係止端部９が一旦前記ピック本体部２の前記第１の細長孔５に嵌合係合された後は前記嵌合係止端部９と前記第１の細長孔５との係合がずれたり、離反したりする事がないように強固に接合固定されている事が望ましい。
【００３８】
即ち、図５（Ｃ）に示す様に、前記ピック本体部２の前記第１の細長孔５の周縁部の少なくとも一部、或いは前記第１の細長孔５の内壁面の全面或いは少なくともその一部と前記第１の細長孔５に挿通された前記ベルト部３の前記嵌合係止端部９に於ける表面部の全面若しくは少なくともその一部とが適宜の接合手段１５により相互に強固に接合固着されているものである。
【００３９】
上記接合手段としては特に限定されるものではないが、例えば、適宜の接着剤を使用する方法、加熱融着方法、レーザー、赤外線等を利用した加熱接合方法等を使用する事が可能である。
【００４０】
本発明に於いて、上記した構成を採用することによって、上記ベルト部３が意図しない時に落下、脱落して演奏時に不便を来たすことが防止されると共に、上記ベルト部３が紛失してしまう心配も回避出来る。
【００４１】
更に、上記の構成を採用する事によって、前記ベルト部３を第１の細長孔５、第２の細長孔７及び第３の細長孔８のそれぞれに挿通させる場合の挿通方向を間違える事がなく、迅速且つ効率的に前記ベルト部３を親指に装着する事が可能である。
【００４２】
一方、本発明に於ける前記ベルト部３は、前記第１の端部４１から所定の長さ部分、つまり第１の長さ部分４３は、所定の幅Ｗ１、つまり本発明に於ける前記ピック本体部２の前記第１の細長孔５の長さＬ１と略等しい幅を有しているものである。
【００４３】
勿論、本発明に於いては、前記ベルト部３の全体の長さ部分に亘って同一の幅Ｗ１を有しているもので有っても良いが、好ましくは、図３に示す様に、前記ベルト部３の前記第１の長さ部分４３に続き、前記ベルト部３の第２の端部４２に至る所定の長さ部分、つまり第２の長さ部分４４は、前記第１の長さ部分４３の幅Ｗ１よりも細い幅Ｗ２を有しているものである。
【００４４】
この様に構成することによって、本発明のベルト部３の第２の長さ部分４４は、ソフト化され、容易に湾曲されやすくなるので、後述する様な、締め付け操作がスムースに且つ迅速に然も確実に実行する事が可能となる。
【００４５】
更に、本発明に於ける前記ベルト部３に於いては、前記ベルト部３の少なくとも一方の表面に滑り止め機構１０が形成されていることが望ましい。
即ち、本発明に於ける前記ベルト部３には、少なくとも前記した第２の長さ部分４４の少なくとも一方の表面に、又必要によっては前記した第２の長さ部分４４の双方の表面に滑り止め機構１０が形成されていることが望ましい。
【００４６】
本発明に於ける前記ベルト部３に設けられる前記滑り止め機構１０は、従来周知の滑り止め機構を使用する事が可能である。
例えば、突起部と凹嵌部との組み合わせによる構成、微細な凹凸物を多数形成する構成、摩擦性の高い物質を添加、貼着させる構成、面圧式ファスナーを用いる構成等、従来周知の構成を使用する事が可能である。
【００４７】
本発明に於ける前記滑り止め機構１０として好ましい具体例としては、図３に示す様に、複数本の畦状線体若しくは溝状線体或いは適宜の凹凸状線体４５が互いに平行に隣接して配列されているものである。
【００４８】
前記凹凸状線体４５は、微細な独立した突起や孔部が線状に配列された構成の線体を含むものである。
更に、本発明に於ける弦楽器用サムピック１の一具体例に於いては、前記ベルト部３に於ける前記滑り止め機構１０を構成する複数本の畦状線体若しくは溝状線体を含む適宜の凹凸状線体４５は、前記ベルト部３の中心軸４０に対して所定の角度を有する様に斜めに形成されている事が望ましい。
【００４９】
前記滑り止め機構１０を構成する前記複数本の畦状線体若しくは溝状線体を含む適宜の凹凸状線体４５の前記ベルト部３の中心軸４０に対して角度は５°から２０°程度、好ましくは１０°から１５°程度の間で適宜設定する事が可能である。
【００５０】
又、前記したベルト部３の前記第１の端部４１及び前記嵌合係止端部９も、前記ベルト部３の中心軸４０に対して所定の角度を有して斜めに形成されている事が望ましく、その角度は、前記ベルト部３の中心軸４０に対して５°から２０°程度、好ましくは１０°から１５°程度の間で適宜設定する事が可能である。
【００５１】
本発明に於ける前記滑り止め機構１０は、前記したベルト部３の片面に設けたもので有ってもよくまたその両面に設けたもので有ってもよい。
そして、本発明に於ける前記滑り止め機構１０を構成する複数本の畦状線体若しくは溝状線体４５の前記ベルト部３の中心軸４０に対する傾斜方向は、前記嵌合係止端部９の前記ベルト部３の中心軸に対して傾斜方向とは異なる方向である事が好ましい。
【００５２】
かかる構成を採用する事によって、前記ベルト部３は、前記ピック本体部２の平面に対して所定の角度で傾斜した帯状体の表面が形成されるので、前記角度を適宜選択或いは調整する事によって演奏者の親指の大きさや、形状等に容易に合わせる事が出来る。
【００５３】
本発明に於ける別の具体例に於いては、図３或いは図４に示す様に、前記ベルト部３の指と接触する面に適宜の材料で構成され、且つ適宜の厚みや幅、或いは長さ等を有する緩衝性と高摩擦性とを有する緩衝摩擦層１１が設けられているもので有っても良い。
【００５４】
前記した緩衝摩擦層１１は、緩衝性と高摩擦性とを有する材料例えば発泡ウレタン等の合成樹脂等で形成され、前記ベルトの裏面に貼着されているものであっても良い。
【００５５】
次に、本発明に於ける弦楽器用サムピックの使用方法の具体例に付いて詳細に説明する。
本発明に於ける前記ベルト部３は、図１或いは図４に示す様に、先ず、他端部４２を前記の第１の細長孔５に前記ピック本体部２の下側から上に向けて挿通させて引っ張り、その結果、前記その第１の端部４１の前記嵌合係止端部９は、前記第１の細長孔５に嵌合係止される。
【００５６】
この際、適宜の接合手段を使用して前記嵌合係止端部９と前記第１の細長孔５とを接合固着させるもので有っても良い。
その後、前記ベルト部３の第２の端部が前記第２の細長孔７のその上側から下向きに挿通され、此処で一旦前記ベルト部３はピック本体部２の前記第２の細長孔７に固定される。
【００５７】
本発明に於いては、前記第１の細長孔５と前記第２の細長孔７との間の間隔Ｈを、弦楽器の演奏者の親指の幅よりも若干短くなるように設定するものであるから、演奏者の親指が、前記ベルト部を内部から外側に向けて押圧するので、前記ベルト部３が前記第２の細長孔７の内壁部に強く接圧せしめられるので、前記ベルト部３が演奏者の親指の締め付ける効果を発揮する。
【００５８】
更に、図６（Ｂ）に示す様に、前記第２の細長孔７内の一部に、例えば、前記ベルト部３が前記第２の細長孔７を貫通する際に前記ベルト部３の滑り止め機構５０が設けられている面と対向する壁面に適宜の形状を持つ突起部５０をストッパーとして設けて置く事により、前記ベルト部３はより強固に親指を安定的に且つ強固に締め付ける事が出来る。
【００５９】
前記した公知例である特開２００４−３５４８３号公報（〔特許文献１〕）では、ベルト部は演奏者の親指に巻き付けて固定する方式であり、然も、前記ベルト部をピック本体部に係止した後、前記ベルト部の下方に垂下した部分を切断する必要があったが、本発明では、締め付け方式により演奏者の親指を前記ベルト部３で固着する構成を採っているのであり、さらに本発明に於いては特開２００４−３５４８３号公報の様に余った下方に垂下したベルト部分を切断する必要がなく、演奏に不便を与えないと言う効果を奏するものである。
【００６０】
本発明に於いては、この状態でも本願の目的は達成されるが、更により強固にベルト部３を前記ピック本体部２に固定する為に、次いで前記ベルト部３の第２の端部４２は、続いて前記第３の細長孔８のその下側から前記した膨出部６０に沿って湾曲させて上向きに挿通させる事も可能であり、それによって前記ベルト部３がより強固にしかも調整可能にベルト部３を親指に適合させる事が出来る。
【００６１】
本発明に於いては、上記した具体例に於いて、図６に示す様に、前記第２の細長孔７又は前記第３の細長孔８の少なくとも一方の孔部内に前記滑り止め機構１０を構成する複数本の畦状線体若しくは溝状線体からなる凹凸線状体４５と係合する突起部５０が設けられている事も好ましい具体例である。
【００６２】
より具体的には、前記した前記突起部５０は、前記第２の細長孔７に設けた場合には、更に前記第３の細長孔８の孔部内に設けなくてもよいが、より好ましくは、前記突起部５０は、更に前記第３の細長孔８の孔部内に於いて、前記第２の細長孔７に前記突起部５０を設けた部位とは反対側の部位に配置する事が望ましい。
【００６３】
つまり、前記突起部５０は、前記ベルト部３に設けられる前記滑り止め機構１０が、前記ベルト部３の何れの表面に設けられるかによって前記第２の細長孔７及び前記第３の細長孔８内の部位を決定する事が出来る。
【００６４】
本発明は、上記した具体例によって、ベルト部３の第２の端部４２が第２の細長孔７と第３の細長孔８とを屈曲しながら挿通嵌合されるので、前記ベルト部３と前記第２の細長孔７との間の係合状態が著しく安定化し、より強固な締め付け力が発生するので、演奏中に弦楽器用サムピックが緩む事は無い。
【００６５】
更に、本発明に於いては上記した様に二重のロック状態が実現され親指の締め付け固定を完全な状態とすると共に演奏者の親指に対応した締め付け固定操作の微調整が可能となると言う効果もある。
【００６６】
前記した公知例である特開２００４−３５４８３号公報（〔特許文献１〕）では、巻き付け固定方式であるから、本発明の様に微調整の可能な締め付け方式による強固な弦楽器用サムピックの取り付けは期待できず、演奏中の弦楽器用サムピックの緩みやずれの発生を解消する事が出来ないと言う問題を含んでいる。
【００６７】
本発明に於ける前記弦楽器は、ギター、バンジョー、マンドリン及び琴から選択された一つの弦楽器である。
次に、本発明にかかる上記した弦楽器用サムピック１の作用並びにその使用方法について説明する。
【００６８】
まず、ピック本体部２の裏面より第１の細長孔５にベルト部３を挿通する。
この操作により、ベルト部３の嵌合係止端部９は第１の細長孔５に引っかかりベルト部３の端部はピック本体部２係止される。
次にベルト部３を弛ませた状態で、その先端部４２を第２の細長孔７に挿通する。
【００６９】
その後、ピック本体部２の裏面よりベルト３の先端を第３の細長孔８に挿通する。
この状態で、ベルト部３に親指１３を挿入して親指１３の位置を一番演奏し易い位置に調節する。
その後、ベルト部３の先端部４２を引っ張って親指を軽く締め上げるように調節する。
【００７０】
この操作により、弦楽器用サムピック１は親指１３に対して一体化することとなる。
なお、前記実施例の説明においては、ベルト部の嵌合係止端部９は斜めに形成した例について説明したが、これに限定されるものではなく、例えばベルトをゴム状の弾性体で形成した場合においては直線状に形成したものであっても良い。
【００７１】
また、ベルトの表面には滑り止め凹凸部を形成した例について説明したが、ベルト自体に摩擦性を有する材質を使用した場合においては省略したものであっても良い。
【００７２】
さらに凹凸部は斜めの直線状に形成した例について説明したが、これはドット状の凹凸いわゆるエンボス加工としたものであっても良い。
また、ベルトの裏面には緩衝摩擦層１１を貼着した例について説明したが、ベルト自体が柔軟で摩擦性を有する材質を使用した場合等には省略したものであっても良い。
【００７３】
以上の説明で明らかな通り、本発明弦楽器用サムピックによれば、極めて簡易でシンプルな構成でありながら、親指に対して実質的に無段階にベルトの締め付け張力を調節できるために演奏者個々の親指にピッタリとフィットし、あたかも指の一部となりえる弦楽器用サムピックを得ることが可能となる。
【００７４】
特に、実施例のように、ベルト部３の嵌合係止端部９を斜めに形成することにより、親指のテーパーに対して極めて良好に適合した弦楽器用サムピックが得られる効果を有する。
【００７５】
さらに、ベルト部３の表面に凹凸部を形成することにより、この凹凸部が細長孔に噛み合うために、演奏中にベルトにかかるテンションによる緩みや、また汗が出て濡れたとしてもベルトが緩むことを可及的に防止することが可能となる効果を有する。
【００７６】
また、ベルトの裏面に緩衝摩擦層１１を形成することにより、より一層親指にフィットするとともに、撥弦時の応力に対してもショックを良好に吸収されることとなるため、極めて演奏性を向上させ得ることをも可能とした効果を奏する。
【図面の簡単な説明】
【００７７】
【図１】図１は、本発明に於ける弦楽器用サムピックの一具体例の構成を示す斜視図である。
【図２】図２は、本発明に於ける弦楽器用サムピックに使用されるピック本体部の一具体例の構成を示す平面図である。
【図３】図３は、本発明に於ける弦楽器用サムピックに使用されるベルト部一具体例の構成を示す平面図である。
【図４】図４は、本発明に於ける弦楽器用サムピックの使用状態を説明する斜視図である。
【図５】図５は、本発明に於ける嵌合係止端部の一具体例の構成を示す斜視図である。
【図６】図６は、本発明に於ける第２の細長孔、第３の細長孔内に設けられる突起部の一具体例の構成を示す平面図である。
【図７】図７は、従来のギター用サムピックの構成を示す斜視図である。
【図８】図８は、従来のギター用サムピックの構成を示す斜視図である。
【符号の説明】
【００７８】
１    弦楽器用サムピック
２    ピック本体部
３    ベルト部
４    弦当接部側
５    第１の細長孔
６    反対側
７    第２の細長孔
８    第３の細長孔
９    嵌合係止端部
１０  滑り止め機構
１１  緩衝摩擦層
１２、２５  弦
１５  接合手段
３１  サムピック
３２  ピック本体
３３  弦当接部側
３４  弦当接部の反対側
３５、３６  係止爪部
３７、３７’、３７”  長さ調節細長孔
３８  ベルト３８
３９  係合穴部
４１  第１の端部
４２  第２の端部
４３  第１の長さ部分
４４  ２の長さ部分、締付部
４５  凹凸状線体
５０  突起部
６０  膨出部
【図１】
2007003665.tif 000003
【図２】
2007003665.tif 000004
【図３】
2007003665.tif 000005
【図４】
2007003665.tif 000006
【図５】
2007003665.tif 000007
【図６】
2007003665.tif 000008
【図７】
2007003665.tif 000009
【図８】
2007003665.tif 000010